(57)【要約】      （修正有）【課題】最大の照射角度を２９０度に拡大させ、全体のＬＥＤ光源の角度を増大させ、発光を均一にし、製造技術が簡単で、取り付けも簡単にできる広角ＬＥＤ照明装置を提供する。【解決手段】広角ＬＥＤ照明装置は、シェード１、プリント回路基板２、ＬＥＤライト３、及び放熱柱４で構成され、シェード１は外部カバーと乱視カバー１０２を含み、プリント回路基板２とＬＥＤライト３は一体に溶接され、ＬＥＤライト３はプリント回路基板２の円心点を中心に環状アレイに配置され、ＬＥＤライトはプリント回路基板２の上表面及び下表面に溶接され、或いはプリント回路基板２の上表面または下表面に溶接され、放熱柱４とプリント回路基板２は固定或いは移動可能に連結され、ＬＥＤライト３とプリント回路基板２の角度は２０〜１７０度である。【選択図】図１
2011124207.tif 000002
【特許請求の範囲】
【請求項１】
シェード、プリント回路基板、ＬＥＤライト、及び放熱柱で構成され、前記シェードは外部カバーと乱視カバーを含み、前記プリント回路基板とＬＥＤライトは一体に溶接されている広角ＬＥＤ照明装置において、前記ＬＥＤライトはプリント回路基板の円心点を中心に環状アレイに配置され、前記ＬＥＤライトはプリント回路基板の上表面及び下表面に溶接され、或いはプリント回路基板の上表面または下表面に溶接され、前記放熱柱とプリント回路基板は固定或いは移動可能に連結され、前記ＬＥＤライトとプリント回路基板の配置角度は２０〜１７０度であることを特徴とする広角ＬＥＤ照明装置。
【請求項２】
前記ＬＥＤライトとプリント回路基板の配置角度は３０度、４５度、６０度或いは９０度であることを特徴とする請求項１に記載の広角ＬＥＤ照明装置。
【請求項３】
前記ＬＥＤランプキャップの最大の発光角度は２９０度であることを特徴とする請求項２に記載の広角ＬＥＤ照明装置。
【請求項４】
前記ＬＥＤライトは同じ単色或いは白色に４００〜７５０ＮＭ周波数帯のＬＥＤを混合してなすことを特徴とする請求項３に記載の広角ＬＥＤ照明装置。
【請求項５】
前記ＬＥＤライトは複数個或いは１つであることを特徴とする請求項４に記載の広角ＬＥＤ照明装置。
【請求項６】
前記乱視カバー内にシリカゲルを充填し或いは充填しないことを特徴とする請求項５に記載の広角ＬＥＤ照明装置。
【請求項７】
前記熱伝導材料は膏状或いは軟質フィルム状であることを特徴とする請求項６に記載の広角ＬＥＤ照明装置。
【請求項８】
前記プリント回路基板と放熱柱との間には熱伝導シリコーングリース或いはシリカゲルフィルムが充填されていることを特徴とする請求項７に記載の広角ＬＥＤ照明装置。
【請求項９】
前記外部カバーと乱視カバーはガラス或いはプラスチックにより作られていることを特徴とする請求項８に記載の広角ＬＥＤ照明装置。
【請求項１０】
前記放熱柱は銅、アルミニウム或いはセラミックにより作られていることを特徴とする請求項９に記載の広角ＬＥＤ照明装置。
【発明の詳細な説明】
【技術分野】
【０００１】
本発明は照明分野に関し、特に広角ＬＥＤ照明装置に関する。
【背景技術】
【０００２】
従来のＬＥＤ電球はＬＥＤ発光ダイオード自身の角度と放熱及び製造技術の制限により、ＬＥＤ電球の発光角度が小さくて、ＬＥＤ電球の背部は光がない、又は、非常に弱かった。照射角度は一般的に１３０〜１７０度の範囲内であり、ＬＥＤ電球は小範囲内でしか応用されなかった。従来のハイパワーＬＥＤ電球にはさらに以下の技術問題点が存在する。
１）ＬＥＤ発光ダイオードの発光角度が小さくて全体光源の発光角度を制限する。
２）ＬＥＤ電球の光通過量が少ない。
３）複数のＬＥＤで構成したため、製品外部から光点が見え、処理することが難しい。
【０００３】
４）ＬＥＤ電球の演色指数が低い。ＬＥＤ電球はランプの応用において照射角度の問題によって、市販のＬＥＤ電球の照射角度は最大１７０度であるので、白熱灯を完全に代わることができない。
【発明の開示】
【発明が解決しようとする課題】
【０００４】
本発明は、従来の光源の発光角度が小さくて、構造が複雑な技術問題を解決するために、発光が均一で、発光角度が大きい広角ＬＥＤ照明装置を提供することを目的とする。
【課題を解決するための手段】
【０００５】
本発明の技術内容は以下の通りである。
【０００６】
本発明の広角ＬＥＤ照明装置は、シェード、プリント回路基板、ＬＥＤライト、及び放熱柱で構成され、前記シェードは外部カバーと乱視カバーを含み、前記プリント回路基板とＬＥＤライトは一体に溶接されている広角ＬＥＤ照明装置において、前記ＬＥＤライトはプリント回路基板の円心の点を中心に環状アレイに配置され、前記ＬＥＤライトはプリント回路基板の上表面及び下表面に溶接され、或いはプリント回路基板の上表面または下表面に溶接され、前記放熱柱とプリント回路基板は固定或いは活動に連結し、前記ＬＥＤライトとプリント回路基板の配置角度は２０〜１７０度である。
【０００７】
本発明の広角ＬＥＤ照明装置において、好ましくは、前記ＬＥＤライトとプリント回路基板の配置角度は３０度、４５度、６０度或いは９０度である。
本発明の広角ＬＥＤ照明装置において、好ましくは、前記ＬＥＤランプキャップの最大の発光角度は２９０度である。
本発明の広角ＬＥＤ照明装置において、好ましくは、前記ＬＥＤライトは同じ単色或いは白色に４００〜７５０ＮＭ周波数帯のＬＥＤを混合してなす。
【０００８】
本発明の広角ＬＥＤ照明装置において、好ましくは、前記ＬＥＤライトは複数個或いは１つである。
本発明の広角ＬＥＤ照明装置において、好ましくは、前記乱視カバー内にシリカゲルを充填し或いは充填しない。
本発明の広角ＬＥＤ照明装置において、好ましくは、前記熱伝導材料は膏状或いは軟質フィルム状である。
【０００９】
本発明の広角ＬＥＤ照明装置において、好ましくは、前記プリント回路基板と放熱柱との間には熱伝導シリコーングリース或いはシリカゲルフィルムを充填する。
本発明の広角ＬＥＤ照明装置において、好ましくは、前記外部カバーと乱視カバーはガラス或いはプラスチックにより作られる。
本発明の広角ＬＥＤ照明装置において、好ましくは、前記放熱柱は銅、アルミニウム或いはセラミックにより作られる。
【００１０】
本発明の１つの実施例に関わる広角ＬＥＤ照明装置は、以下のような技術効果を有する。
平面ＰＣＢ基板において、ＬＥＤライトの異なる配置角度及び配置方法によって、全体ＬＥＤ光源の角度を増大させ、発光を均一にし、製造と装着が簡単にできる。
【発明を実施するための最良の形態】
【００１１】
図１〜図１４に示すように、本発明が提供する広角ＬＥＤ照明装置は、シェード１、プリント回路基板２、ＬＥＤライト３及び放熱柱４から構成され、シェード１は外部カバー１０１とシリカゲル光の拡散を固定するための乱視カバー１０２を含み、プリント回路基板２はＬＥＤライト３と一体に溶接し、ＬＥＤライト３はプリント回路基板２の円心点を中心に環状アレイに配置され、ＬＥＤライト３はプリント回路基板２の上表面及び下表面に溶接され、或いはプリント回路基板２の上表面または下表面に溶接され、ＬＥＤライト３とプリント回路基板２との角度は３０〜９０度であり、好ましくは、３０度、４５度、６０度或いは９０度である。
【００１２】
ＬＥＤライト３の異なる角度及び配置方法を制御することによって、全体のＬＥＤ光源角度を増大させ、ＬＥＤライトの発光を均一にさせ及び自然に交差混合させることに達成し、従って最大の照射角度の立体光源に達成する。
【００１３】
放熱柱４は銅、アルミニウム、セラミックなどの熱伝導率が高い材料で作られ、放熱と伝熱の機能を奏し、熱伝導効果も増加した。放熱柱４にはネジ穴４０１が設置され、プリント回路基板２には固定穴５０１が設置され、放熱柱４とプリント回路基板２はネジ５によって固定穴５０１を経てネジ穴４０１に連結し、着脱が簡単になり、従来のＬＥＤライトにおける部材が多くて製造技術が複雑であった問題が解決できる。
【００１４】
ライト柱と放熱柱４は一体に設計され、熱抵抗を減少させ、熱をよりよく放熱柱４の表面に伝達させる。放熱柱４は熱伝導率が高い材料により作られ、ＬＥＤライトの発熱はプリント回路基板２、熱伝導材料及び放熱柱４を経て、最後に熱量を発散し、放熱処理が難しい問題を解決する。
【００１５】
また、より良く放熱させるため、プリント回路基板２と放熱柱４との間には熱伝導率が高い材料が設置され、熱伝導材料は膏状或いは軟質フィルム状であり、プリント回路基板２と放熱柱４との間のギャップを充填させることができる。
【００１６】
全体のプリント回路基板２を乱視カバー１０２内に入れ、内部には耐熱性で拡散剤が加われたシリカゲル６が充填され、固定及び光拡散の作用を奏し、照明効果に従ってシリカゲルを追加するか否かを観察することができると共に、光点の問題を解決し、光点を朦朧化することができる。
【００１７】
ＬＥＤ発光ダイオードはプリント回路基板に溶接され、複数のＬＥＤライトから構成され、ＬＥＤは同じ単色発光ＬＥＤを採用し、或いは白色光に４００〜７５０ＮＭ周波数帯のＬＥＤを混合してなすことができ、従って演色指数を高め、色温度等を変化させることが可能になる。
本発明のＬＥＤランプの照射角度は少なくとも２４０度以上になり、最大で２９０度まで達成でき、白熱灯を完全に代替することができる。
【図面の簡単な説明】
【００１８】
【図１】本発明の広角ＬＥＤ照明装置の構造概略図である。
【図２】本発明のＬＥＤライトがプリント回路基板の一面に設置された構造を示す。
【図３】本発明のＬＥＤライトがプリント回路基板の両面に設置された構造を示す。
【図４】本発明のＬＥＤライトがプリント回路基板の一面に設置された発光分布図である。
【図５】本発明のＬＥＤライトがプリント回路基板の一面に設置された正面図である。
【図６】本発明のＬＥＤライトがプリント回路基板の一面に設置された立体図である。
【図７】本発明のＬＥＤライトがプリント回路基板の一面に設置された使用状態参考図である。
【図８】本発明のＬＥＤライトがプリント回路基板の両面に設置された第２構造の発光分布図である。
【図９】本発明のＬＥＤライトがプリント回路基板の両面に設置された第２構造の上面図である。
【図１０】本発明のＬＥＤライトがプリント回路基板の両面に設置された第２構造の立体図である。
【図１１】本発明のＬＥＤライトがプリント回路基板の両面に設置された使用状態参考図である。
【符号の説明】
【００１９】
１  シェード
１０１  外部カバー
１０２  乱視カバー
２  プリント回路基板
３  ＬＥＤライト
４  放熱柱
４０１  ネジ穴
５  ネジ
５０１  固定穴
６  シリカゲル
【図１】
2011124207.tif 000003
【図２】
2011124207.tif 000004
【図３】
2011124207.tif 000005
【図４】
2011124207.tif 000006
【図５】
2011124207.tif 000007
【図６】
2011124207.tif 000008
【図７】
2011124207.tif 000009
【図８】
2011124207.tif 000010
【図９】
2011124207.tif 000011
【図１０】
2011124207.tif 000012
【図１１】
2011124207.tif 000013